(57)【特許請求の範囲】
【請求項１】
積み重ね可能な物品と、該物品に搭載され、互いに電気的に接続されたＩＣチップおよびコイル状のアンテナと、を備えてなり、
前記物品は平面視略円形状であり、前記物品の重心と、前記アンテナの重心とが重ならないように、前記物品の一領域に前記アンテナが配設され、
前記積み重ね可能な物品は、皿本体と、該皿本体の外底部に一体に設けられた糸底とからなる皿であり、前記アンテナが前記糸底の内側に配設され、
前記アンテナは平面視楕円環状をなし、該楕円の長軸および短軸の長さは前記糸底の半径よりも小さく、前記楕円の長軸は前記糸底の半径方向に沿って配置されたことを特徴とするＲＦ機能搭載物品。
【請求項２】
前記皿本体の裏面には、前記皿本体と前記糸底の境界近傍から前記皿本体の表面方向に延在するように、前記アンテナの外周の一部が前記糸底の内側面に最も近接している位置を示す目印が設けられていることを特徴とする請求項１に記載のＲＦ機能搭載物品。
【発明の詳細な説明】
【技術分野】
【０００１】
本発明は、積み重ね可能な物品と、その物品に搭載され、互いに電気的に接続されたＩＣチップおよびアンテナと、を備えてなるＲＦ機能搭載物品に関する。
【背景技術】
【０００２】
物品の識別システムとしては、個体識別情報を格納したＲＦタグから、電磁波または電波を媒体として、近距離（数ｃｍ〜数ｍ）の無線通信により情報の送受信を行うＲＦＩＤ（Ｒａｄｉｏ  Ｆｒｅｑｕｅｎｃｙ  ＩＤｅｎｔｉｆｉｃａｔｉｏｎ）システムが用いられている。このＲＦＩＤシステムは、非接触型ＩＣタグなどのＲＦタグと、情報書込／読出装置（リーダライタ）との間で電磁波または電波による通信を行い、離れた位置にあるＲＦタグの情報を読み取ったり、ＲＦタグに情報を書き込んだりするものである。
【０００３】
このようなＲＦＩＤシステムは、配送システム、在庫管理システム、販売システム、集計システムなど、種々のシステムに応用することが検討されている。
その応用例としては、例えば、回転寿司店における皿の集計（精算）、客の趣向把握、寿司ネタの鮮度管理などを行うシステムが挙げられる。このシステムでは、寿司を載せる皿に装着した非接触型ＩＣタグに、寿司の種類、寿司を作った時刻、寿司の売値などの情報が記録されている。
非接触型ＩＣタグに寿司の種類を記録しておくことにより、客が寿司の載った皿を取ると、その客の趣向を把握することができる。
また、非接触型ＩＣタグに寿司を作った時刻を記録しておくことにより、寿司の鮮度を管理して、客に対して常に作りたての寿司を提供することができるとともに、寿司を廃棄する量を低減することができる。
【０００４】
さらに、非接触型ＩＣタグに寿司の種類および売値を記録しておくことにより、客の支払うべき金額（代金）を精算することができる。すなわち、客が食事を終えると、客が食べた寿司が載っていた皿を積み重ねて、これらの皿の非接触型ＩＣタグと通信し、非接触型ＩＣタグから情報（寿司の種類および売値）を取得し、代金を精算する。
このような回転寿司における集計システムに用いられる皿としては、皿の糸底の内側に非接触型ＩＣタグを配設し、さらに、そのアンテナコイルを糸底の内壁面に設けたもの（例えば、特許文献１参照）、アンテナコイルを糸底の中央部に設けたもの（例えば、特許文献２参照）や、アンテナコイルを糸底内に埋設したもの（例えば、特許文献３参照）などが知られている。
【先行技術文献】
【特許文献】
【０００５】
【特許文献１】特開２０００−１３７７７８号公報
【特許文献２】特開２００１−１８４４７１号公報
【特許文献３】特開２００１−１９０３８６号公報
【発明の概要】
【発明が解決しようとする課題】
【０００６】
上記の皿を用いた集計システムでは、リーダライタと、非接触型ＩＣタグとの間で情報の送受信を行うために、例えば、固定式リーダライタ側のアンテナの上に積み重ねた皿を置いたり、積み重ねた皿の上に手持式リーダライタをかざしたりしている。
ところが、上記の皿が多数枚積み重ねられていると、それぞれの非接触型ＩＣタグのアンテナが干渉し合って、それぞれの非接触型ＩＣタグと通信できないという問題があった。
【０００７】
本発明は、上記事情に鑑みてなされたものであって、多数個積み重ねても、それぞれの非接触型ＩＣタグとの通信が可能なＲＦ機能搭載物品を提供することを目的とする。
【課題を解決するための手段】
【０００８】
本発明のＲＦ機能搭載物品は、積み重ね可能な物品と、該物品に搭載され、互いに電気的に接続されたＩＣチップおよびコイル状のアンテナと、を備えてなり、前記物品は平面視略円形状であり、前記物品の重心と、前記アンテナの重心とが重ならないように、前記物品の一領域に前記アンテナが配設され、前記積み重ね可能な物品は、皿本体と、該皿本体の外底部に一体に設けられた糸底とからなる皿であり、前記アンテナが前記糸底の内側に配設され、前記アンテナは平面視楕円環状をなし、該楕円の長軸および短軸の長さは前記糸底の半径よりも小さく、前記楕円の長軸は前記糸底の半径方向に沿って配置されたことを特徴とする。
【０００９】
前記皿本体の裏面には、前記皿本体と前記糸底の境界近傍から前記皿本体の表面方向に延在するように、前記アンテナの外周の一部が前記糸底の内側面に最も近接している位置を示す目印が設けられていることが好ましい。
【発明の効果】
【００１０】
本発明のＲＦ機能搭載物品によれば、前記物品は平面視略円形状の積み重ね可能な物品の重心と、アンテナの重心とが重ならないように、積み重ね可能な物品の一領域にアンテナが配設されたので、ＲＦ機能搭載物品を多数積み重ねた場合、これらの重心を中心として、基準となるＲＦ機能搭載物品に対して、他のＲＦ機能搭載物品を回転させることにより、それぞれのアンテナが完全に重なり合わない位置に配される。その結果、それぞれのＲＦ機能搭載物品のアンテナが干渉し合うことがなくなり、それぞれのＲＦ機能搭載物品と、リーダライタとの間で、非接触の通信を行うことができる。
【図面の簡単な説明】
【００１１】
【図１】本発明のＲＦ機能搭載物品の第一の実施形態を示す概略構成図であり、（ａ）は斜視図、（ｂ）は底面図である。
【図２】本発明のＲＦ機能搭載物品の第一の実施形態の使用方法を示す概略正面図である。
【図３】本発明のＲＦ機能搭載物品の第一の実施形態の使用方法を示す概略底面図である。
【図４】本発明のＲＦ機能搭載物品の第二の実施形態を示す概略底面図である。
【図５】本発明のＲＦ機能搭載物品の第三の実施形態を示す概略底面図である。
【図６】本発明のＲＦ機能搭載物品の第四の実施形態を示す概略底面図である。
【図７】本発明のＲＦ機能搭載物品の第五の実施形態を示す概略構成図であり、（ａ）は底面図、（ｂ）は（ａ）のＡ−Ａ線に沿う断面図である。
【図８】本発明のＲＦ機能搭載物品の第六の実施形態を示す概略底面図である。
【図９】本発明のＲＦ機能搭載物品の第七の実施形態を示す概略平面図である。
【図１０】本発明のＲＦ機能搭載物品の第八の実施形態を示す概略平面図である。
【発明を実施するための形態】
【００１２】
本発明のＲＦ機能搭載物品の実施の形態について説明する。
なお、この実施の形態は、発明の趣旨をより良く理解させるために具体的に説明するものであり、特に指定のない限り、本発明を限定するものではない。
【００１３】
（１）第一の実施形態
図１は、本発明のＲＦ機能搭載物品の第一の実施形態を示す概略構成図であり、（ａ）は斜視図、（ｂ）は底面図である。
この実施形態では、積み重ね可能な物品として、回転寿司店にて寿司を載せるために用いられる皿を例示する。
なお、本発明における「積み重ね可能な物品」とは、皿、皿以外のコップ（グラス）、茶碗などの食器類；ＣＤ、ＤＶＤなどの光ディスク；バケツなどの容器；各種パレットなどであって、積み重ねた状態で、その重心（中心）を中心として回転可能であり、平面視略円形状の物品である。
なお、本発明において、「略円形」とは、正五角形以上の正多角形も含む。
【００１４】
このＲＦ機能搭載物品１０は、皿１１と、皿１１に搭載され、互いに電気的に接続されたＩＣチップ１２およびコイル状のアンテナ１３とから概略構成されている。
皿１１は、平面視円形状でかつその表面（寿司を載せる面）１４ａが緩やかな上向きの曲面をなす皿本体１４と、皿本体１４の表面１４ａとは反対側の面（裏面）１４ｂに突設され、皿本体１４と一体をなす平面視円環状の糸底１５とから構成されている。
【００１５】
ＩＣチップ１２およびアンテナ１３は、糸底１５の内側において、皿本体１４の裏面１４ｂに配設されている。また、ＩＣチップ１２およびアンテナ１３は、粘着材（図示略）または接着材（図示略）により、皿本体１４の裏面１４ｂに固着されている。
なお、コイル状のアンテナ１３は、平面視円環状をなしている。
【００１６】
また、皿１１の重心（ここでは、皿１１が平面視円形状であるので、皿１１の重心は、皿１１の中心、すなわち、糸底１５の中心と等しい。）Ｃ１１と、アンテナ１３の重心（ここでは、アンテナ１３が平面視円環状であるので、アンテナ１３の重心は、アンテナ１３の中心と等しい。）Ｃ１２とが重ならないように、皿本体１４の裏面１４ｂにアンテナ１３が配設されている。
ここでは、糸底１５の半径（糸底１５の内径の半分）をＲ、アンテナ１３の半径（アンテナ１３の内径の半分）をｒとした場合、半径Ｒと半径ｒが、Ｒ＞２ｒの関係を満たし、さらに、糸底１５の内側面１５ａの近傍に、アンテナ１３の外周の一部を配置することにより、皿１１の重心Ｃ１１と、アンテナ１３の重心Ｃ１２とが重ならないようになっている。
より詳細には、アンテナ１３の重心Ｃ１２は、アンテナ１３が形成する面の重心であって、そのアンテナ１３が形成する面の重心と、皿１１の重心Ｃ１１とが重ならないようになっている。
ここでは、アンテナ１３が平面視円環状であるので、アンテナ１３が形成する面の重心は、アンテナ１３の重心Ｃ１２の中心と等しい。
なお、例えば、アンテナ１３が形成する面が三角形である場合、その重心は、三角形の各頂点と対辺の中点を結ぶ線分の交点のことである。例えば、アンテナ１３が形成する面が四角形である場合、その重心は、四角形の各辺の中点を結んでできる平行四辺形の交点のことである。
【００１７】
また、皿本体１４の裏面１４ｂには、皿本体１４と糸底１５の境界近傍から皿本体１４の表面１４ａ方向に延在するように、アンテナ１３の外周の一部が糸底１５の内側面１５ａに最も近接している位置（点）を示す目印１６が設けられている。
また、目印１６は、皿本体１４の裏面１４ｂに施された線状または点状の印刷、皿本体１４の裏面１４ｂに刻設された線状または点状の切欠などからなる。
なお、目印１６は、ＲＦ機能搭載物品１０を積み重ねた状態でもその位置を確認し易くするために、皿本体１４の裏面１４ｂであって、少なくともＲＦ機能搭載物品１０を積み重ねた状態で、それらを側面から見た場合に視認可能な位置に設けられていることが好ましい。すなわち、目印１６は、皿本体１４の裏面１４ｂであって、皿本体１４の縁部およびその近傍に設けられていることが好ましい。
【００１８】
皿１１としては、陶器、磁器、ガラス、木材、アクリル樹脂、アクリロニトリル−ブタジエン−スチレン共重合体（以下、「ＡＢＳ」と略す。）樹脂、耐熱ＡＢＳ樹脂、メラミン樹脂、ユリア樹脂などからなるものが用いられる。
【００１９】
ＩＣチップ１２としては、特に限定されず、アンテナ１３を介して非接触状態にて情報の書き込みおよび読み出しが可能であり、非接触型ＩＣタグや非接触型ＩＣラベル、あるいは、非接触型ＩＣカードなどのＲＦＩＤメディアに適用可能なものであればいかなるものでも用いられる。
【００２０】
アンテナ１３は、銅線などの金属線が半径ｒの円環状に巻き回されてなるコイル状をなしている。
あるいは、アンテナ１３は、皿本体１４の裏面１４ｂに、ポリマー型導電インクを用いて所定のパターンにスクリーン印刷、インクジェット印刷などの印刷法により形成されてなるもの、導電性箔をエッチングしてなるもの、金属メッキしてなるものであり、半径ｒの円環状に巻き回されてなるコイル状をなしている。
【００２１】
ポリマー型導電インクとしては、例えば、銀粉末、金粉末、白金粉末、アルミニウム粉末、パラジウム粉末、ロジウム粉末、カーボン粉末（カーボンブラック、カーボンナノチューブなど）などの導電微粒子が樹脂組成物に配合されたものが挙げられる。
【００２２】
樹脂組成物として熱硬化型樹脂を用いれば、ポリマー型導電インクは、２００℃以下、例えば、１００〜１５０℃程度でアンテナ１３をなす塗膜を形成することができる熱硬化型となる。アンテナ１５をなす塗膜の電気の流れる経路は、塗膜を構成する導電微粒子が互いに接触することにより形成され、この塗膜の抵抗値は１０-5Ω・ｃｍオーダーである。
また、本発明におけるポリマー型導電インクとしては、熱硬化型の他にも、光硬化型、浸透乾燥型、溶剤揮発型といった公知のものが用いられる。
【００２３】
光硬化型のポリマー型導電インクは、光硬化性樹脂を樹脂組成物に含むものであり、硬化時間が短いので、製造効率を向上させることができる。光硬化型のポリマー型導電インクとしては、例えば、熱可塑性樹脂のみ、あるいは、熱可塑性樹脂と架橋性樹脂（特に、ポリエステルとイソシアネートによる架橋系樹脂など）とのブレンド樹脂組成物に、導電微粒子が６０質量％以上配合され、ポリエステル樹脂が１０質量％以上配合されたもの、すなわち、溶剤揮発型あるいは架橋／熱可塑併用型（ただし、熱可塑型が５０質量％以上である）のものや、熱可塑性樹脂のみ、あるいは、熱可塑性樹脂と架橋性樹脂（特に、ポリエステルとイソシアネートによる架橋系樹脂など）とのブレンド樹脂組成物に、ポリエステル樹脂が１０質量％以上配合されたもの、すなわち、架橋型あるいは架橋／熱可塑併用型のものなどが好適に用いられる。
【００２４】
また、アンテナ１３をなす導電性箔としては、銅箔、銀箔、金箔、白金箔、アルミニウム箔などが挙げられる。
さらに、アンテナ１３をなす金属メッキとしては、銅メッキ、銀メッキ、金メッキ、白金メッキなどが挙げられる。
【００２５】
アンテナ１３の長さ（銅線の全長）は、非接触ＩＣカードなどの非接触ＩＣモジュールに利用できる短波帯〈ＨＦ〉、極超短波帯〈ＵＨＦ〉、マイクロ波帯などの電波帯の周波数（３ＭＨｚ〜３０ＧＨｚ）の１／２波長に相当する長さとなっている。
【００２６】
次に、図１〜３を参照して、ＲＦ機能搭載物品１０の使用方法を説明するとともに、ＲＦ機能搭載物品１０の作用を説明する。
このＲＦ機能搭載物品１０は、回転寿司店にて寿司を載せるための皿として用いられる。
ここで、回転寿司店のシステムの概要を説明する。
回転寿司店の店内には、無端の閉ループ状のコンベアが設けられ、このコンベアに沿って客席が設けられている。
寿司は皿に載せられ、コンベアによって客席の前へと運ばれる。
客はコンベアによって運ばれてくる皿の中から、好みの寿司が載せられている皿を取る。
そして、客は寿司を食べ終えた後、テーブルの上に皿を重ねていく。
客が食事を終えると、店員が皿の枚数を、その色別または模様別に数えて、代金を精算する。
【００２７】
図２は、本発明のＲＦ機能搭載物品の第一の実施形態の使用方法を示す概略正面図であり、ＲＦ機能搭載物品を多数積み重ねた状態を示す図である。
ここでは、説明を簡単にするために、下層の３つのＲＦ機能搭載物品１０Ａ，１０Ｂ，１０Ｃの関係について説明する。
図２および３に示すように、３つのＲＦ機能搭載物品１０Ａ，１０Ｂ，１０Ｃを積み重ねる場合、それぞれのＲＦ機能搭載物品１０の皿本体１４の裏面１４ｂに設けられた目印１６が重なり合わないようにする。
すなわち、ＲＦ機能搭載物品１０Ａ上にＲＦ機能搭載物品１０Ｂを重ねた状態で、これらの重心（中心）Ｃ１１を中心として、ＲＦ機能搭載物品１０Ａに対してＲＦ機能搭載物品１０Ｂを回転させることにより、ＲＦ機能搭載物品１０Ａの目印１６ＡとＲＦ機能搭載物品１０Ｂの目印１６Ｂが重なり合わないようにする。これにより、ＲＦ機能搭載物品１０Ａのアンテナ１３Ａと、ＲＦ機能搭載物品１０Ｂのアンテナ１３Ｂとが完全に重なり合わないように（図３参照）、ＲＦ機能搭載物品１０Ａ上にＲＦ機能搭載物品１０Ｂが載置される。
【００２８】
さらに、ＲＦ機能搭載物品１０Ｂ上にＲＦ機能搭載物品１０Ｃを重ねた状態で、これらの重心（中心）Ｃ１１を中心として、ＲＦ機能搭載物品１０ＡおよびＲＦ機能搭載物品１０Ｂに対してＲＦ機能搭載物品１０Ｃを回転させることにより、目印１６Ａおよび目印１６Ｂと、ＲＦ機能搭載物品１０Ｃの目印１６Ｃとが重なり合わないようにする。これにより、アンテナ１３Ａおよびアンテナ１３Ｂと、ＲＦ機能搭載物品１０Ｃのアンテナ１３Ｃとが完全に重なり合わないように（図３参照）、ＲＦ機能搭載物品１０Ｂ上にＲＦ機能搭載物品１０Ｃが載置される。
【００２９】
このように目印１６Ａ，１６Ｂ，１６Ｃが重なり合わないように、ＲＦ機能搭載物品１０Ａ，１０Ｂ，１０Ｃを積み重ねることにより、これらのアンテナ１３Ａ，１３Ｂ，１３Ｃが完全に重なり合わない位置に配される。
【００３０】
次いで、このように積み重ねられたＲＦ機能搭載物品１０を、固定式リーダライタのアンテナ（図示略）の上に載置するか、あるいは、積み重ねられたＲＦ機能搭載物品１０の上に手持式リーダライタ（図示略）をかざす。
これにより、それぞれのＲＦ機能搭載物品１０と、リーダライタとの間で、非接触の通信を行うことができる。そして、リーダライタにより、それぞれのＲＦ機能搭載物品１０のＩＣチップ１２に記録されていた寿司の種類、寿司の売値などの情報を読み出し、その情報に基づいて、代金を精算する。
【００３１】
このＲＦ機能搭載物品１０によれば、糸底１５の半径をＲ、アンテナ１３の半径をｒとした場合、半径Ｒと半径ｒが、Ｒ＞２ｒの関係を満たし、糸底１５の内側面１５ａの近傍に、アンテナ１３の外周の一部を配置することにより、皿１１の重心Ｃ１１と、アンテナ１３の重心Ｃ１２とが重ならないようになっているので、ＲＦ機能搭載物品１０を多数積み重ねた場合、これらの重心（中心）Ｃ１１を中心として、基準となるＲＦ機能搭載物品１０（例えば、一番下のＲＦ機能搭載物品１０Ａ）に対して、他のＲＦ機能搭載物品１０（１０Ｂ）を回転させることにより、それぞれのアンテナ１３が完全に重なり合わない位置に配される。その結果、それぞれのＲＦ機能搭載物品１０のアンテナ１３が干渉し合うことがなくなり、それぞれのＲＦ機能搭載物品１０と、リーダライタとの間で、非接触の通信を行うことができる。
【００３２】
なお、この実施形態では、糸底１５の内側において、皿本体１４の裏面１４ｂにＩＣチップ１２およびアンテナ１３が直接設けられた場合を例示したが、本発明はこれに限定されない。本発明にあっては、糸底の内側において、皿本体の裏面に、少なくともＩＣチップおよびアンテナを被覆するように種々の樹脂からなる被覆材が設けられていてもよい。
【００３３】
また、糸底１５の内側において、皿本体１４の裏面１４ｂにＩＣチップ１２およびアンテナ１３が設けられているので、ＩＣチップ１２およびアンテナ１３が皿１１の使用を妨げることがない。また、ＩＣチップ１２およびアンテナ１３の存在を気にすることなく、皿１１を使用できる。
【００３４】
（２）第二の実施形態
図４は、本発明のＲＦ機能搭載物品の第二の実施形態を示す概略底面図である。
図４において、図１〜３に示したＲＦ機能搭載物品１０と同じ構成要素には同一の符号を付して説明を省略する。
このＲＦ機能搭載物品２０は、皿１１と、皿１１に搭載され、互いに電気的に接続されたＩＣチップ１２およびコイル状のアンテナ１３とから概略構成されている。
【００３５】
このＲＦ機能搭載物品２０では、糸底１５の半径をＲ、アンテナ１３の半径をｒとした場合、半径Ｒと半径ｒが、Ｒ＝２ｒの関係を満たし、さらに、糸底１５の内側面１５ａの近傍に、アンテナ１３の外周の一部を配置することにより、皿１１の重心（ここでは、皿１１が平面視円形状であるので、皿１１の重心は、皿１１の中心、すなわち、糸底１５の中心と等しい。）Ｃ２１と、アンテナ１３の重心（ここでは、アンテナ１３が平面視円環状であるので、アンテナ１３の重心は、アンテナ１３の中心と等しい。）Ｃ２２とが重ならないように、皿本体１４の裏面１４ｂにアンテナ１３が配設されている。
より詳細には、アンテナ１３の重心Ｃ２２は、アンテナ１３が形成する面の重心であって、そのアンテナ１３が形成する面の重心と、皿１１の重心Ｃ２１とが重ならないようになっている。
ここでは、アンテナ１３が平面視円環状であるので、アンテナ１３が形成する面の重心は、アンテナ１３の重心Ｃ２２の中心と等しい。
【００３６】
このＲＦ機能搭載物品２０によれば、糸底１５の半径をＲ、アンテナ１３の半径をｒとした場合、半径Ｒと半径ｒが、Ｒ＝２ｒの関係を満たし、糸底１５の内側面１５ａの近傍に、アンテナ１３の外周の一部を配置することにより、皿１１の重心Ｃ２１と、アンテナ１３の重心Ｃ２２とが重ならないようになっているので、ＲＦ機能搭載物品２０を多数積み重ねた場合、これらの重心（中心）Ｃ２１を中心として、基準となるＲＦ機能搭載物品２０に対して、他のＲＦ機能搭載物品２０を回転させることにより、それぞれのアンテナ１３が完全に重なり合わない位置に配される。その結果、それぞれのＲＦ機能搭載物品２０のアンテナ１３が干渉し合うことがなくなり、それぞれのＲＦ機能搭載物品２０と、リーダライタとの間で、非接触の通信を行うことができる。
【００３７】
なお、この実施形態では、糸底１５の内側において、皿本体１４の裏面１４ｂにＩＣチップ１２およびアンテナ１３が直接設けられた場合を例示したが、本発明はこれに限定されない。本発明にあっては、糸底の内側において、皿本体の裏面に、少なくともＩＣチップおよびアンテナを被覆するように種々の樹脂からなる被覆材が設けられていてもよい。
【００３８】
（３）第三の実施形態
図５は、本発明のＲＦ機能搭載物品の第三の実施形態を示す概略底面図である。
図５において、図１〜３に示したＲＦ機能搭載物品１０と同じ構成要素には同一の符号を付して説明を省略する。
このＲＦ機能搭載物品３０は、皿１１と、皿１１に搭載され、互いに電気的に接続されたＩＣチップ１２およびコイル状のアンテナ１３とから概略構成されている。
【００３９】
このＲＦ機能搭載物品３０では、糸底１５の半径をＲ、アンテナ１３の半径をｒとした場合、半径Ｒと半径ｒが、Ｒ＜２ｒの関係を満たし、さらに、糸底１５の内側面１５ａの近傍に、アンテナ１３の外周の一部を配置することにより、皿１１の重心（ここでは、皿１１が平面視円形状であるので、皿１１の重心は、皿１１の中心、すなわち、糸底１５の中心と等しい。）Ｃ３１と、アンテナ１３の重心（ここでは、アンテナ１３が平面視円環状であるので、アンテナ１３の重心は、アンテナ１３の中心と等しい。）Ｃ３２とが重ならないように、皿本体１４の裏面１４ｂにアンテナ１３が配設されている。
なお、アンテナ１３は糸底１５の内側に設けられるので、２ｒ＜２Ｒの関係も満たす。
より詳細には、アンテナ１３の重心Ｃ３２は、アンテナ１３が形成する面の重心であって、そのアンテナ１３が形成する面の重心と、皿１１の重心Ｃ３１とが重ならないようになっている。
ここでは、アンテナ１３が平面視円環状であるので、アンテナ１３が形成する面の重心は、アンテナ１３の重心Ｃ３２の中心と等しい。
【００４０】
このＲＦ機能搭載物品３０によれば、糸底１５の半径をＲ、アンテナ１３の半径をｒとした場合、半径Ｒと半径ｒが、Ｒ＜２ｒの関係を満たし、糸底１５の内側面１５ａの近傍に、アンテナ１３の外周の一部を配置することにより、皿１１の重心Ｃ３１と、アンテナ１３の重心Ｃ３２とが重ならないようになっているので、ＲＦ機能搭載物品３０を多数積み重ねた場合、これらの重心（中心）Ｃ３１を中心として、基準となるＲＦ機能搭載物品３０に対して、他のＲＦ機能搭載物品３０を回転させることにより、それぞれのアンテナ１３が完全に重なり合わない位置に配される。その結果、それぞれのＲＦ機能搭載物品３０のアンテナ１３が干渉し合うことがなくなり、それぞれのＲＦ機能搭載物品３０と、リーダライタとの間で、非接触の通信を行うことができる。
【００４１】
なお、この実施形態では、糸底１５の内側において、皿本体１４の裏面１４ｂにＩＣチップ１２およびアンテナ１３が直接設けられた場合を例示したが、本発明はこれに限定されない。本発明にあっては、糸底の内側において、皿本体の裏面に、少なくともＩＣチップおよびアンテナを被覆するように種々の樹脂からなる被覆材が設けられていてもよい。
【００４２】
（４）第四の実施形態
図６は、本発明のＲＦ機能搭載物品の第四の実施形態を示す概略底面図である。
図６において、図１〜３に示したＲＦ機能搭載物品１０と同じ構成要素には同一の符号を付して説明を省略する。
このＲＦ機能搭載物品４０は、皿１１と、皿１１に搭載され、互いに電気的に接続されたＩＣチップ１２およびコイル状のアンテナ１３を備えたインレット４１とから概略構成されている。
【００４３】
インレット４１は、平面視円形状の基材４２と、基材４２の一方の面４２ａに設けられ、互いに電気的に接続されたＩＣチップ１２およびアンテナ１３とから概略構成されている。より詳細には、アンテナ１３の外周の一部（一点）が、基材４２の外周に近接するように、基材４２の一方の面４２ａにアンテナ１３が設けられている。
このインレット４１は、糸底１５の内側において、皿本体１４の裏面１４ｂに配設されている。また、インレット４１は、粘着材（図示略）または接着材（図示略）により、皿本体１４の裏面１４ｂに固着されている。
【００４４】
基材４２としては、ポリエチレンテレフタレート（ＰＥＴ）、グリコール変性ポリエチレンテレフタレート（ＰＥＴ−Ｇ）、ポリブチレンテレフタレート（ＰＢＴ）、ポリエチレンナフタレート（ＰＥＮ）などのポリエステル樹脂からなる基材；ポリエチレン（ＰＥ）、ポリプロピレン（ＰＰ）などのポリオレフィン樹脂からなる基材；ポリフッ化ビニル、ポリフッ化ビニリデン、ポリ４フッ化エチレンなどのポリフッ化エチレン系樹脂からなる基材；ナイロン６、ナイロン６，６などのポリアミド樹脂からなる基材；ポリ塩化ビニル（ＰＶＣ）、エチレン−酢酸ビニル共重合体、ポリビニルアルコール、ビニロンなどのビニル重合体からなる基材；ポリメタクリル酸メチル、ポリメタクリル酸エチル、ポリアクリル酸エチル、ポリアクリル酸ブチルなどのアクリル系樹脂からなる基材；ポリスチレンからなる基材；ポリカーボネート（ＰＣ）からなる基材；ポリアリレートからなる基材；ポリイミドからなる基材；上質紙、薄葉紙、グラシン紙、硫酸紙などの紙からなる基材などが用いられる。
【００４５】
このＲＦ機能搭載物品４０では、糸底１５の半径をＲ、アンテナ１３の半径をｒとした場合、半径Ｒと半径ｒが、Ｒ＞２ｒの関係を満たし、さらに、糸底１５の内側面１５ａの近傍に、アンテナ１３の外周の一部を配置することにより、皿１１の重心（ここでは、皿１１が平面視円形状であるので、皿１１の重心は、皿１１の中心、すなわち、糸底１５の中心と等しい。）Ｃ４１と、アンテナ１３の重心（ここでは、アンテナ１３が平面視円環状であるので、アンテナ１３の重心は、アンテナ１３の中心と等しい。）Ｃ４２とが重ならないように、皿本体１４の裏面１４ｂにアンテナ１３が配設されている。
より詳細には、アンテナ１３の重心Ｃ４２は、アンテナ１３が形成する面の重心であって、そのアンテナ１３が形成する面の重心と、皿１１の重心Ｃ４１とが重ならないようになっている。
ここでは、アンテナ１３が平面視円環状であるので、アンテナ１３が形成する面の重心は、アンテナ１３の重心Ｃ４２の中心と等しい。
【００４６】
このＲＦ機能搭載物品４０によれば、糸底１５の半径をＲ、アンテナ１３の半径をｒとした場合、半径Ｒと半径ｒが、Ｒ＞２ｒの関係を満たし、糸底１５の内側面１５ａの近傍に、アンテナ１３の外周の一部を配置することにより、皿１１の重心Ｃ４１と、アンテナ１３の重心Ｃ４２とが重ならないようになっているので、ＲＦ機能搭載物品４０を多数積み重ねた場合、これらの重心（中心）Ｃ４１を中心として、基準となるＲＦ機能搭載物品４０に対して、他のＲＦ機能搭載物品４０を回転させることにより、それぞれのアンテナ１３が完全に重なり合わない位置に配される。その結果、それぞれのＲＦ機能搭載物品４０のアンテナ１３が干渉し合うことがなくなり、それぞれのＲＦ機能搭載物品４０と、リーダライタとの間で、非接触の通信を行うことができる。
【００４７】
なお、この実施形態では、糸底１５の半径をＲ、アンテナ１３の半径をｒとした場合、半径Ｒと半径ｒが、Ｒ＞２ｒの関係を満たす場合を例示したが、本発明はこれに限定されない。本発明にあっては、上述の第二の実施形態と同様に、半径Ｒと半径ｒが、Ｒ＝２ｒの関係を満たしていてもよく、あるいは、上述の第三の実施形態と同様に、半径Ｒと半径ｒが、Ｒ＜２ｒの関係を満たしていてもよい。
【００４８】
また、この実施形態では、糸底１５の内側において、皿本体１４の裏面１４ｂにＩＣチップ１２およびアンテナ１３を備えたインレット４１が直接設けられた場合を例示したが、本発明はこれに限定されない。本発明にあっては、糸底の内側において、皿本体の裏面に、少なくともインレットを被覆するように種々の樹脂からなる被覆材が設けられていてもよい。
【００４９】
また、この実施形態では、インレット４１の基材４２が平面視円形状である場合を例示したが、本発明はこれに限定されない。本発明にあっては、インレットの基材の形状は、糸底の形状や大きさなどに応じて適宜調整される。
【００５０】
（５）第五の実施形態
図７は、本発明のＲＦ機能搭載物品の第五の実施形態を示す概略構成図であり、（ａ）は底面図、（ｂ）は（ａ）のＡ−Ａ線に沿う断面図である。
図７において、図１〜３に示したＲＦ機能搭載物品１０と同じ構成要素には同一の符号を付して説明を省略する。
このＲＦ機能搭載物品５０は、皿１１と、皿１１に搭載され、互いに電気的に接続されたＩＣチップ１２およびコイル状のアンテナ１３と、糸底１５の内側に充填され、糸底１５の内側において、ＩＣチップ１２およびアンテナ１３が設けられた皿本体１４の裏面１４ｂの全面を被覆する被覆材５１とから概略構成されている。
【００５１】
被覆材５１としては、ポリカーボネート樹脂、ポリプロピレン樹脂、ポリエチレン樹脂、ポリスチレン樹脂、アクリル樹脂、ポリエステル樹脂、ポリフェレニンサルファイド樹脂、ＡＢＳ樹脂、ポリ塩化ビニル樹脂、ポリウレタン樹脂、フッ素樹脂、シリコーン樹脂などが挙げられる。
【００５２】
このＲＦ機能搭載物品５０では、糸底１５の半径をＲ、アンテナ１３の半径をｒとした場合、半径Ｒと半径ｒが、Ｒ＞２ｒの関係を満たし、さらに、糸底１５の内側面１５ａの近傍に、アンテナ１３の外周の一部を配置することにより、皿１１の重心（ここでは、皿１１が平面視円形状であるので、皿１１の重心は、皿１１の中心、すなわち、糸底１５の中心と等しい。）Ｃ５１と、アンテナ１３の重心（ここでは、アンテナ１３が平面視円環状であるので、アンテナ１３の重心は、アンテナ１３の中心と等しい。）Ｃ５２とが重ならないように、皿本体１４の裏面１４ｂにアンテナ１３が配設されている。
より詳細には、アンテナ１３の重心Ｃ５２は、アンテナ１３が形成する面の重心であって、そのアンテナ１３が形成する面の重心と、皿１１の重心Ｃ５１とが重ならないようになっている。
ここでは、アンテナ１３が平面視円環状であるので、アンテナ１３が形成する面の重心は、アンテナ１３の重心Ｃ５２の中心と等しい。
【００５３】
このＲＦ機能搭載物品５０によれば、糸底１５の半径をＲ、アンテナ１３の半径をｒとした場合、半径Ｒと半径ｒが、Ｒ＞２ｒの関係を満たし、糸底１５の内側面１５ａの近傍に、アンテナ１３の外周の一部を配置することにより、皿１１の重心Ｃ５１と、アンテナ１３の重心Ｃ５２とが重ならないようになっているので、ＲＦ機能搭載物品４０を多数積み重ねた場合、これらの重心（中心）Ｃ５１を中心として、基準となるＲＦ機能搭載物品５０に対して、他のＲＦ機能搭載物品５０を回転させることにより、それぞれのアンテナ１３が完全に重なり合わない位置に配される。その結果、それぞれのＲＦ機能搭載物品５０のアンテナ１３が干渉し合うことがなくなり、それぞれのＲＦ機能搭載物品５０と、リーダライタとの間で、非接触の通信を行うことができる。
【００５４】
なお、この実施形態では、糸底１５の半径をＲ、アンテナ１３の半径をｒとした場合、半径Ｒと半径ｒが、Ｒ＞２ｒの関係を満たす場合を例示したが、本発明はこれに限定されない。本発明にあっては、上述の第二の実施形態と同様に、半径Ｒと半径ｒが、Ｒ＝２ｒの関係を満たしていてもよく、あるいは、上述の第三の実施形態と同様に、半径Ｒと半径ｒが、Ｒ＜２ｒの関係を満たしていてもよい。
【００５５】
また、この実施形態では、糸底１５の内側において、皿本体１４の裏面１４ｂにＩＣチップ１２およびアンテナ１３が直接設けられた場合を例示したが、本発明はこれに限定されない。本発明にあっては、糸底の内側において、皿本体の裏面にＩＣチップおよびアンテナを備えたインレットを設けてもよい。
【００５６】
（６）第六の実施形態
図８は、本発明のＲＦ機能搭載物品の第六の実施形態を示す概略底面図である。
図８において、図１〜３に示したＲＦ機能搭載物品１０と同じ構成要素には同一の符号を付して説明を省略する。
このＲＦ機能搭載物品６０は、皿１１と、皿１１に搭載され、互いに電気的に接続されたＩＣチップ１２およびコイル状のアンテナ６１とから概略構成されている。
【００５７】
ＩＣチップ１２およびアンテナ６１は、糸底１５の内側において、皿本体１４の裏面１４ｂに配設されている。また、ＩＣチップ１２およびアンテナ６１は、粘着材（図示略）または接着材（図示略）により、皿本体１４の裏面１４ｂに固着されている。
なお、コイル状のアンテナ６１は、平面視楕円環状をなしている。
【００５８】
また、皿１１の重心（ここでは、皿１１が平面視円形状であるので、皿１１の重心は、皿１１の中心、すなわち、糸底１５の中心と等しい。）Ｃ６１と、アンテナ６１の重心（ここでは、アンテナ６１が平面視楕円環状であるので、アンテナ６１の重心は、アンテナ６１の中心（楕円の中心と等しい。）Ｃ６２とが重ならないように、皿本体１４の裏面１４ｂにアンテナ６１が配設されている。
すなわち、糸底１５の半径をＲ、アンテナ６１の長軸をａ、アンテナの短軸をｂとした場合、半径Ｒと長軸ａが、２Ｒ＞ａの関係を満たし、半径Ｒと短軸ｂが、２Ｒ＞ｂの関係を満たす。さらに、アンテナ６１の長軸ａが、糸底１５の半径方向に沿って配置されている。
より詳細には、アンテナ６１の重心Ｃ６２は、アンテナ６１が形成する面の重心であって、そのアンテナ６１が形成する面の重心と、皿１１の重心Ｃ６１とが重ならないようになっている。
ここでは、アンテナ６１が平面視楕円環状であるので、アンテナ６１が形成する面の重心は、アンテナ６１の重心Ｃ６２の中心と等しい。
【００５９】
皿本体１４の裏面１４ｂには、皿本体１４と糸底１５の境界近傍から皿本体１４の表面１４ａ方向に延在するように、アンテナ６１の長軸ａの延長線と糸底１５が交わる位置（点）を示す目印６２が設けられている。
また、目印６２は、皿本体１４の裏面１４ｂに施された線状または点状の印刷、皿本体１４の裏面１４ｂに刻設された線状または点状の切欠などからなる。
なお、目印６２は、ＲＦ機能搭載物品６０を積み重ねた状態でもその位置を確認し易くするために、皿本体１４の裏面１４ｂであって、少なくともＲＦ機能搭載物品６０を積み重ねた状態で、それらを側面から見た場合に視認可能な位置に設けられていることが好ましい。すなわち、目印６２は、皿本体１４の裏面１４ｂであって、皿本体１４の縁部およびその近傍に設けられていることが好ましい。
【００６０】
アンテナ６１としては、上述の第一の実施形態と同様のものが用いられる。
アンテナ６１の長さ（銅線の全長）は、非接触ＩＣカードなどの非接触ＩＣモジュールに利用できる短波帯〈ＨＦ〉、極超短波帯〈ＵＨＦ〉、マイクロ波帯などの電波帯の周波数（３ＭＨｚ〜３０ＧＨｚ）の１／２波長に相当する長さとなっている。
【００６１】
このＲＦ機能搭載物品６０によれば、アンテナ６１が平面視楕円環状をなし、糸底１５の半径をＲ、アンテナ６１の長軸をａ、アンテナの短軸をｂとした場合、半径Ｒと長軸ａが、２Ｒ＞ａの関係を満たし、半径Ｒと短軸ｂが、２Ｒ＞ｂの関係を満たすことにより、皿１１の重心Ｃ６１と、アンテナ６１の重心Ｃ６２とが重ならないようになっているので、ＲＦ機能搭載物品６０を多数積み重ねた場合、これらの重心（中心）Ｃ６１を中心として、基準となるＲＦ機能搭載物品６０に対して、他のＲＦ機能搭載物品６０を回転させることにより、それぞれのアンテナ６１が完全に重なり合わない位置に配される。その結果、それぞれのＲＦ機能搭載物品６０のアンテナ６１が干渉し合うことがなくなり、それぞれのＲＦ機能搭載物品６０と、リーダライタとの間で、非接触の通信を行うことができる。
【００６２】
なお、この実施形態では、糸底１５の内側において、皿本体１４の裏面１４ｂにＩＣチップ１２およびアンテナ６１が直接設けられた場合を例示したが、本発明はこれに限定されない。本発明にあっては、糸底の内側において、皿本体の裏面にＩＣチップおよびアンテナを備えたインレットを設けてもよい。また、本発明にあっては、糸底の内側において、皿本体の裏面に、少なくともＩＣチップおよびアンテナを被覆するように種々の樹脂からなる被覆材が設けられていてもよい。
【００６３】
（７）第七の実施形態
図９は、本発明のＲＦ機能搭載物品の第七の実施形態を示す概略平面図である。
この実施形態では、積み重ね可能な物品として、ＣＤ、ＤＶＤなどの光ディスクを例示する。
このＲＦ機能搭載物品７０は、光ディスク７１と、光ディスク７１に搭載され、互いに電気的に接続されたＩＣチップ７２およびコイル状のアンテナ７３とから概略構成されている。
光ディスク７１は、円盤状をなし、その中央に、その厚さ方向に貫通する平面視円形状の貫通穴７１ａが設けられている。
【００６４】
ＩＣチップ７２およびアンテナ７３は、光ディスク７１の一方の面（記録面とは反対側の面）７１ｂに配設されている。また、ＩＣチップ７２およびアンテナ７３は、粘着材（図示略）または接着材（図示略）により、光ディスク７１の一方の面７１ｂに固着されている。
なお、コイル状のアンテナ７３は、平面視円環状をなしている。
【００６５】
また、光ディスク７１の重心（ここでは、光ディスク７１が円盤状であるので、光ディスク７１の重心は、光ディスク７１の中心と等しい。）Ｃ７１と、アンテナ７３の重心（ここでは、アンテナ７３が平面視円環状であるので、アンテナ７３の重心は、アンテナ７３の中心と等しい。）Ｃ７２とが重ならないように、光ディスク７１の一方の面７１ｂにアンテナ７３が配設されている。
ここでは、貫通穴７１ａと重ならないように、アンテナ７３を配設することにより、光ディスク７１の重心Ｃ７１と、アンテナ７３の重心Ｃ７２とが重ならないようになっている。すなわち、光ディスク７１の貫通穴７１ａ以外の領域にアンテナ７３を配設することにより、光ディスク７１の重心Ｃ７１と、アンテナ７３の重心Ｃ７２とが重ならないようになっている。
より詳細には、アンテナ７３の重心Ｃ７２は、アンテナ７３が形成する面の重心であって、そのアンテナ７３が形成する面の重心と、光ディスク７１の重心Ｃ７１とが重ならないようになっている。
ここでは、アンテナ７３が平面視円環状であるので、アンテナ７３が形成する面の重心は、アンテナ７３の重心Ｃ７２の中心と等しい。
【００６６】
光ディスク７１の外側面７１ｃには、アンテナ７３が、光ディスク７１の外縁（外側面７１ｃ）に最も近接している位置（点）を示す目印７４が設けられている。
また、目印７４は、光ディスク７１の外側面７１ｃに施された線状または点状の印刷、光ディスク７１の外側面７１ｃに刻設された線状または点状の切欠などからなる。
【００６７】
光ディスク７１は、ポリカーボネート、ポリメタクリル酸メチル、エポキシ樹脂、環状オレフィン樹脂、ポリ乳酸などの樹脂からなる基板の一面に、銀やアルミニウムなどからなる反射層が設けられたものである。
【００６８】
ＩＣチップ７２としては、上述の第一の実施形態と同様のものが用いられる。
アンテナ７３としては、上述の第一の実施形態と同様のものが用いられる。
アンテナ７３の長さ（銅線の全長）は、非接触ＩＣカードなどの非接触ＩＣモジュールに利用できる短波帯〈ＨＦ〉、極超短波帯〈ＵＨＦ〉、マイクロ波帯などの電波帯の周波数（３ＭＨｚ〜３０ＧＨｚ）の１／２波長に相当する長さとなっている。
【００６９】
このＲＦ機能搭載物品７０によれば、貫通穴７１ａと重ならないように、アンテナ７３を配設することにより、光ディスク７１の重心Ｃ７１と、アンテナ７３の重心Ｃ７２とが重ならないようになっているので、ＲＦ機能搭載物品７０を多数積み重ねた場合、これらの重心（中心）Ｃ７１を中心として、基準となるＲＦ機能搭載物品７０に対して、他のＲＦ機能搭載物品７０を回転させることにより、それぞれのアンテナ７３が完全に重なり合わない位置に配される。その結果、それぞれのＲＦ機能搭載物品７０のアンテナ７３が干渉し合うことがなくなり、それぞれのＲＦ機能搭載物品７０と、リーダライタとの間で、非接触の通信を行うことができる。
【００７０】
なお、この実施形態では、光ディスク７１の一方の面７１ｂにＩＣチップ７２およびアンテナ７３が直接設けられた場合を例示したが、本発明はこれに限定されない。本発明にあっては、光ディスクの一方の面にＩＣチップおよびアンテナを備えたインレットを設けてもよい。また、本発明にあっては、光ディスクの一方の面に、少なくともＩＣチップおよびアンテナを被覆するように種々の樹脂からなる被覆材が設けられていてもよい。
【００７１】
（８）第八の実施形態
図１０は、本発明のＲＦ機能搭載物品の第八の実施形態を示す概略底面図である。
図１０において、図９に示したＲＦ機能搭載物品７０と同じ構成要素には同一の符号を付して説明を省略する。
このＲＦ機能搭載物品８０は、光ディスク７１と、光ディスク７１に搭載され、互いに電気的に接続されたＩＣチップ７２およびコイル状のアンテナ７３とから概略構成されている。
【００７２】
また、光ディスク７１の重心（ここでは、光ディスク７１が円盤状であるので、光ディスク７１の重心は、光ディスク７１の中心と等しい。）Ｃ８１と、アンテナ７３の重心（ここでは、アンテナ７３が平面視円環状であるので、アンテナ７３の重心は、アンテナ７３の中心と等しい。）Ｃ８２とが重ならないように、光ディスク７１の一方の面７１ｂにアンテナ７３が配設されている。
ここでは、貫通穴７１ａの開口縁７１ｄを囲み、かつ、貫通孔７１ａの開口縁７１ｄに近接して、アンテナ７３を配設することにより、光ディスク７１の重心Ｃ８１と、アンテナ７３の重心Ｃ８２とが重ならないようになっている。
より詳細には、アンテナ７３の重心Ｃ８２は、アンテナ７３が形成する面の重心であって、そのアンテナ７３が形成する面の重心と、光ディスク７１の重心Ｃ８１とが重ならないようになっている。
ここでは、アンテナ７３が平面視円環状であるので、アンテナ７３が形成する面の重心は、アンテナ７３の重心Ｃ８２の中心と等しい。
【００７３】
光ディスク７１の外側面７１ｃには、アンテナ７３が、光ディスク７１の外縁（外側面７１ｃ）に最も近接している位置（点）を示す目印７４が設けられている。
【００７４】
このＲＦ機能搭載物品８０によれば、貫通穴７１ａの開口縁７１ｄを囲み、かつ、貫通孔７１ａの開口縁７１ｄに近接して、アンテナ７３を配設することにより、光ディスク７１の重心Ｃ８１と、アンテナ７３の重心Ｃ８２とが重ならないようになっているので、ＲＦ機能搭載物品８０を多数積み重ねた場合、これらの重心（中心）Ｃ８１を中心として、基準となるＲＦ機能搭載物品８０に対して、他のＲＦ機能搭載物品８０を回転させることにより、それぞれのアンテナ７３が完全に重なり合わない位置に配される。その結果、それぞれのＲＦ機能搭載物品８０のアンテナ７３が干渉し合うことがなくなり、それぞれのＲＦ機能搭載物品８０と、リーダライタとの間で、非接触の通信を行うことができる。
【００７５】
なお、この実施形態では、光ディスク７１の一方の面７１ｂにＩＣチップ７２およびアンテナ７３が直接設けられた場合を例示したが、本発明はこれに限定されない。本発明にあっては、光ディスクの一方の面にＩＣチップおよびアンテナを備え、光ディスクの貫通穴と形状が等しい貫通穴を有するインレットを設けてもよい。また、本発明にあっては、光ディスクの一方の面に、少なくともＩＣチップおよびアンテナを被覆するように種々の樹脂からなる被覆材が設けられていてもよい。
【００７６】
また、上述の第一〜第六の実施形態では、積み重ね可能な物品として、回転寿司店にて寿司を載せるために用いられる皿を例示し、上述の第七および第八の実施形態では、積み重ね可能な物品として、光ディスクを例示したが、本発明はこれに限定されない。本発明にあっては、積み重ね可能な物品は、コップ（グラス）、茶碗、バケツ、パレットなどであってもよい。
積み重ね可能な物品が、コップ（グラス）である場合、例えば、コップ（グラス）の底面に、上述の実施形態と同様にＩＣチップおよびコイル状のアンテナが配設される。
積み重ね可能な物品が、茶碗である場合、例えば、茶碗の糸底の内側に、上述の実施形態と同様にＩＣチップおよびコイル状のアンテナが配設される。
積み重ね可能な物品が、バケツである場合、例えば、バケツの底面に、上述の実施形態と同様にＩＣチップおよびコイル状のアンテナが配設される。
積み重ね可能な物品が、パレットである場合、例えば、パレットの底面に、上述の実施形態と同様にＩＣチップおよびコイル状のアンテナが配設される。
【符号の説明】
【００７７】
１０，２０，３０，４０，５０，６０，７０，８０・・・ＲＦ機能搭載物品、１１・・・皿、１２，７２・・・ＩＣチップ、１３，６１，７３・・・アンテナ、１４・・・皿本体、１５・・・糸底、１６，６２，７４・・・目印、４１・・・インレット、４２・・・基材、５１・・・被覆材、７１・・・光ディスク。
【図１】
0005563953.tif 000002
【図２】
0005563953.tif 000003
【図３】
0005563953.tif 000004
【図４】
0005563953.tif 000005
【図５】
0005563953.tif 000006
【図６】
0005563953.tif 000007
【図７】
0005563953.tif 000008
【図８】
0005563953.tif 000009
【図９】
0005563953.tif 000010
【図１０】
0005563953.tif 000011